(57)【要約】【課題】ズームレンズを有する撮像装置において、マクロ撮影時の利便性を向上させること【解決手段】焦点距離を変化させるズームレンズ（１０２）の位置を第１の位置に設定してマクロ撮影を行う第１のマクロモードと、前記ズームレンズの位置を前記第１の位置よりも望遠側の第２の位置に設定してマクロ撮影を行う第２のマクロモードとを有する撮像装置（１００）であって、前記ズームレンズを駆動する駆動手段（１０３）と、撮影条件を取得する撮影条件取得手段（１０１）と、取得した撮影条件に応じて、前記第１のマクロモードまたは前記第２のマクロモードを設定するとともに、設定したマクロモードに適した焦点距離となるように前記駆動手段を制御する制御手段（１０１）と、を有する。【選択図】図８
2014164206.tif 000002
【特許請求の範囲】
【請求項１】
焦点距離を変化させるズームレンズの位置を第１の位置に設定してマクロ撮影を行う第１のマクロモードと、前記ズームレンズの位置を前記第１の位置よりも望遠側の第２の位置に設定してマクロ撮影を行う第２のマクロモードとを有する撮像装置であって、
前記ズームレンズを駆動する駆動手段と、
撮影条件を取得する撮影条件取得手段と、
取得した撮影条件に応じて、前記第１のマクロモードまたは前記第２のマクロモードを設定するとともに、設定したマクロモードに適した焦点距離となるように前記駆動手段を制御する制御手段と、を有することを特徴とする撮像装置。
【請求項２】
前記撮影条件は、背景のボケ量であり、
前記撮像装置は、
前記背景のボケ量を設定する設定手段を有し、
前記制御手段は、
前記設定手段により設定された背景のボケ量が所定のボケ量より大きい場合に、マクロモードを、前記第２のマクロモードに設定し、
前記設定手段により設定された背景のボケ量が所定のボケ量より小さい場合に、マクロモードを、前記第１のマクロモードに設定することを特徴とする、請求項１に記載の撮像装置。
【請求項３】
前記撮影条件は、絞り値であり、
前記撮像装置は、
前記絞り値を設定する設定手段を有し、
前記制御手段は、
前記設定手段により設定された絞り値が所定の値よりも小さい場合に、マクロモードを、前記第２のマクロモードに設定し、
前記設定手段により設定された絞り値が所定の値よりも大きい場合に、マクロモードを、前記第１のマクロモードに設定することを特徴とする、請求項１に記載の撮像装置。
【請求項４】
前記撮影条件は、被写体距離であり、
前記撮像装置は、
前記被写体距離を取得する被写体距離取得手段を有し、
前記制御手段は、
前記被写体距離取得手段により取得された被写体距離が所定量より大きい場合に、マクロモードを、前記第２のマクロモードに設定し、
前記被写体距離取得手段により取得された被写体距離が所定量より小さい場合に、マクロモードを、前記第１のマクロモードに設定することを特徴とする、請求項１に記載の撮像装置。
【請求項５】
前記マクロモードに適した焦点距離となるズーム位置は、前記第１のマクロモードでは広角端であり、前記第２のマクロモードでは望遠端であることを特徴とする、請求項１〜４のいずれか１項に記載の撮像装置。
【請求項６】
前記マクロモードに適した焦点距離となるズーム位置は、それぞれのマクロモードで撮影倍率が最大となるズーム位置であることを特徴とする、請求項１〜４のいずれか１項に記載の撮像装置。
【請求項７】
前記マクロモードに適した焦点距離となるズーム位置は、それぞれのマクロモードで撮影距離が最短となるズーム位置であることを特徴とする、請求項１〜４のいずれか１項に記載の撮像装置。
【請求項８】
前記制御手段は、前記第２のマクロモードを設定した際に、背景のボケ量が所定量に収まる範囲内に、ズーム位置の変更を制限することを特徴とする、請求項１〜７のいずれか１項に記載の撮像装置。
【請求項９】
前記制御手段は、前記第２のマクロモードを設定した際に、被写体から所定の距離を離れるよう表示部にメッセージを表示させることを特徴とする、請求項１〜８のいずれか１項に記載の撮像装置。
【請求項１０】
ズームレンズを含む撮影光学系と、
請求項１から９のいずれか１項に記載の撮像装置と、を有することを特徴とするカメラシステム。
【請求項１１】
焦点距離を変化させるズームレンズの位置を第１の位置に設定してマクロ撮影を行う第１のマクロモードと、前記ズームレンズの位置を前記第１の位置よりも望遠側の第２の位置に設定してマクロ撮影を行う第２のマクロモードとを有する撮像装置の制御方法であって、
撮影条件を取得するステップと、
取得した撮影条件に応じて、前記第１のマクロモードまたは前記第２のマクロモードを設定するとともに、設定したマクロモードに適した焦点距離となるように前記ズームレンズを駆動させる駆動手段を制御するステップと、
を有することを特徴とする撮像装置の制御方法。
【請求項１２】
請求項１１に記載の撮像装置の制御方法の手順が記述された、コンピュータで実行可能なプログラム。
【請求項１３】
コンピュータに、請求項１１に記載の撮像装置の制御方法のステップを実行させるためのプログラムが記憶されたコンピュータが読み取り可能な記憶媒体。
【発明の詳細な説明】
【技術分野】
【０００１】
本発明は、ズームレンズを有し、マクロ撮影が可能な撮像装置に関する。
【背景技術】
【０００２】
従来のデジタルカメラは、搭載されているズームレンズの望遠側の焦点距離がそれほど大きくなく、また、望遠側の最短撮影距離が大きいものが多かったため、マクロ撮影に必要な撮影倍率が十分に得られず、望遠側でマクロ撮影を行えないものが多かった。
【０００３】
しかし、近年では、ズームレンズの高倍率化と望遠側の最短撮影距離の短縮が進み、望遠側でもマクロ撮影に必要な撮影倍率が得られるようになり、望遠側でのマクロ撮影（テレマクロ撮影）が行えるデジタルカメラが提供されるようになった。
【０００４】
また、テレマクロモード選択時に、ズーム位置を自動的に望遠端へ移動する技術も提案されている（例えば、特許文献１参照。）。
【先行技術文献】
【特許文献】
【０００５】
【特許文献１】特開２００６−１８４８１６号広報
【発明の概要】
【発明が解決しようとする課題】
【０００６】
テレマクロモードでは背景を大きくぼかして撮影できたり、被写体との距離をある程度確保して撮影できたりする等、通常のマクロモードと併用することで、撮影の幅を広げることができる。しかしながら、ユーザ自身が意識して各マクロモードを選択して使用する必要があり、通常のマクロモードとテレマクロモードの違いを正しく理解していないと、使いこなすことが容易ではなかった。
【０００７】
本発明は、ズームレンズを有する撮像装置において、マクロ撮影時の利便性を向上させることを例示的目的とする。
【課題を解決するための手段】
【０００８】
本発明の一側面としての撮像装置は、焦点距離を変化させるズームレンズの位置を第１の位置に設定してマクロ撮影を行う第１のマクロモードと、前記ズームレンズの位置を前記第１の位置よりも望遠側の第２の位置に設定してマクロ撮影を行う第２のマクロモードとを有する撮像装置であって、前記ズームレンズを駆動する駆動手段と、撮影条件を取得する撮影条件取得手段と、取得した撮影条件に応じて、前記第１のマクロモードまたは前記第２のマクロモードを設定するとともに、設定したマクロモードに適した焦点距離となるように前記駆動手段を制御する制御手段と、を有することを特徴とする。
【０００９】
本発明の他の目的及び特徴は、以下の実施例において説明される。
【発明の効果】
【００１０】
本発明によれば、ズームレンズを有する撮像装置において、マクロ撮影時の利便性を向上させることが可能となる。
【図面の簡単な説明】
【００１１】
【図１】本発明の実施形態における撮像装置の構成を示すブロック図である。
【図２】本発明の実施形態における撮像装置の操作部材を示す図である。
【図３】本発明の実施形態における撮像装置の特定のピント位置での各ズーム位置に対するフォーカスレンズ位置を示す図である。
【図４】本発明の実施形態における撮像装置の通常ＡＦモードの合焦範囲を示す図である。
【図５】本発明の実施形態における撮像装置の通常マクロモードの合焦範囲を示す図である。
【図６】本発明の実施形態における撮像装置のテレマクロモードの合焦範囲を示す図である。
【図７】本発明の実施形態における撮像装置のＡＦモード切り替え処理の動作を示すフローチャート図である。（実施例１）
【図８】本発明の実施形態における撮像装置のマクロモード切り替え処理の動作を示すフローチャート図である。（実施例１）
【図９】本発明の実施形態における撮像装置のマクロモード処理の動作を示すフローチャート図である。（実施例２）
【図１０】本発明の実施形態における撮像装置のマクロモード切り替え処理の動作を示すフローチャート図である。（実施例２）
【図１１】本発明の実施形態における撮像装置の表示画面を示す図である。
【発明を実施するための形態】
【００１２】
以下に、本発明の好ましい実施の形態を、添付の図面に基づいて詳細に説明する。
【実施例１】
【００１３】
以下、図１〜図１１を参照して、本発明の第１の実施例による撮像装置の動作について説明する。
【００１４】
図１は、本発明を適用できる撮像装置１００の構成を示すブロック図である。なお、本実施例では、レンズ一体型の撮像装置について説明するが、本発明は、レンズ交換型の撮像装置（カメラシステム）にも適用することが可能である。
【００１５】
図１において、１００はデジタルカメラ等に代表される撮像装置である。１０１はシステム制御部（制御手段）であり、撮像装置１００全体を制御する。１０２はズームレンズであり、光軸方向に位置を変更することで焦点距離を変更する。１０３はズーム制御部であり、不図示の駆動手段を用いてズームレンズ１０２を駆動制御する。１０４はシャッタ・絞りユニットである。１０５はシャッタ・絞り制御部であり、不図示の駆動手段を用いてシャッタ・絞りユニット１０４を駆動制御する。シャッタ・絞り制御部１０５は、シャッタ・絞りユニット１０４の開口量（絞り値）を制御し、後述する撮像素子への入射光量を制御する。１０６はフォーカスレンズであり、光軸方向に位置を変更することでピント調整を行う。１０７はフォーカス制御部であり、不図示の駆動手段を用いてフォーカスレンズ１０６を駆動制御する。このように、本実施例において撮像装置１００は、ズームレンズ１０２、シャッタ・絞りユニット１０４、およびフォーカスレンズ１０６を含む撮影光学系を備えている。１０８は撮像素子であり、各レンズを通ってきた被写体像を光電変換して電気信号に変換する。１０９は信号処理部であり、撮像素子１０８から出力された電気信号を映像信号（画像信号）に変換処理し、用途に応じて加工する。１１０は表示部であり、液晶表示装置、スピーカー等からなり、システム制御部１０１でのプログラムの実行や、信号処理部１０９から出力された信号に基づいて、文字、画像、音声等を用いて動作状態やメッセージ等を表示する。１１１は操作部（設定手段）であり、各種ボタン等からなり、システム制御部１０１へ各種の動作指示を入力する。１１２は記憶部であり、システム制御部１０１の動作用の定数、変数、プログラム、映像情報など様々なデータを記憶するメモリである。１１３は記録部であり、画像データ等を記録する電気的に消去・記録可能な不揮発性メモリである。１１４は電源部であり、撮像装置１００全体に用途に応じて電源を供給する。
【００１６】
次に、上記の構成を持つ撮像装置１００の動作について説明する。
【００１７】
操作部１１１は、押し込み量に応じて第１スイッチ（以下ＳＷ１とする）および第２スイッチ（以下ＳＷ２とする）が順にオンするように構成されたシャッタレリーズボタンを有している。シャッタレリーズボタンを約半分押し込んだときにＳＷ１がオンし、シャッタレリーズボタンを最後まで押し込んだときにＳＷ２がオンする構造となっている。
【００１８】
操作部１１１のＳＷ１がオンされると、システム制御部１０１は、ＡＦ機能に基づきフォーカス制御部１０７によりフォーカスレンズ１０６を駆動してピント調整を行う。さらに、システム制御部１０１は、ＡＥ機能に基づきシャッタ・絞りユニット制御部１０５によりシャッタ・絞りユニット１０４を駆動して適正な露光量に設定する。
【００１９】
さらにＳＷ２がオンされると、システム制御部１０１は、撮像素子１０８から得られた電気信号を信号処理部１０９で画像信号に変換して画像処理した後に、記憶部１１２に記憶するとともに、記録部１１３で記録媒体に画像データを記録する。
【００２０】
また、操作部１１１は、図２に示すＡＦモード切り替えボタン２０２を有している。操作部１１１のＡＦモード切り替えボタン２０２が操作される度に、システム制御部１０１は、ＡＦモードを通常ＡＦモード、マクロモード、遠景モードと順に切り替える。このとき、システム制御部１０１は、図１１（ａ）に示すように、表示部１１０に設定されたＡＦモードを表示する。なお、マクロモードは、通常ＡＦモードでは合焦可能範囲外となる至近距離にピントを合わせることができる、近接撮影のためのＡＦモードであり、後述するように、通常マクロモードとテレマクロモードから構成されている。
【００２１】
ここで、図３〜図６を用いて、各ＡＦモードにおける合焦可能範囲について説明する。
【００２２】
図３〜図６は、特定のピント位置での、各ズーム位置に対するフォーカスレンズ位置を示す図である。図３〜図６の横軸はズーム位置を示し、横軸の正方向（右方向）が望遠側（Ｔｅｌｅ側）となり、ズームレンズ１０２が繰り出して焦点距離が長くなる方向となる。横軸の正方向と反対方向（左方向）は広角側（Ｗｉｄｅ側）となっている。なお、図３〜図６のＴｅｌｅ上の破線はテレ端（望遠端）の位置を示し、Ｗｉｄｅ上の破線はワイド端（広角端）の位置を示している。縦軸はフォーカスレンズ位置を示し、縦軸の正方向（上方向）が至近側となり、フォーカスレンズ１０６が繰り出してピント位置が近くなる方向となる。縦軸の正方向と反対方向（下方向）は無限側となっている。また、図３〜図６の曲線Ｃ１〜Ｃ４は、特定のピント位置での、各ズーム位置に対するフォーカスレンズ１０６の位置を示す曲線である。例えば、曲線Ｃ１はピント位置が無限遠の場合の各ズーム位置に対するフォーカスレンズ１０６の位置を示す曲線である。同様に、曲線Ｃ２はピント位置が１．５ｍ、曲線Ｃ３はピント位置が５０ｃｍ、曲線Ｃ４はピント位置が至近の場合の各ズーム位置に対するフォーカスレンズ１０６の位置を示す曲線である。また、図３〜図６の直線Ｌ１は、フォーカスレンズ１０６の至近側の駆動端の位置を示している。
【００２３】
通常ＡＦモードにおける合焦可能範囲は、図４の曲線Ｃ１、曲線Ｃ３のＷｉｄｅ側部分、直線Ｌ１および曲線Ｃ２のＴｅｌｅ側部分で囲まれる斜線部分の範囲となっている。よって、合焦可能範囲は、ズーム位置（焦点距離）がＷｉｄｅ側ではおおむね５０ｃｍから無限遠まで、Ｔｅｌｅ側ではおおむね１．５ｍから無限遠までの範囲となっている。
【００２４】
次に、マクロモードにおける合焦可能範囲は、通常マクロモード（第１のマクロモード）では、図５の曲線Ｃ３のＷｉｄｅ側部分、曲線Ｃ４のＷｉｄｅ側部分および直線Ｌ１で囲まれる斜線部分の範囲となっている。よって、合焦可能範囲は、ズーム位置がＷｉｄｅ側（広角端を含む第１の領域内の第１の位置）でおおむね至近から５０ｃｍまでの範囲となっている。
【００２５】
一方、テレマクロモード（第２のマクロモード）では、図６の曲線Ｃ２のＴｅｌｅ側部分および直線Ｌ１で囲まれる斜線部分の範囲となっている。よって、合焦可能範囲は、ズーム位置がＴｅｌｅ側（望遠端を含む第２の領域内にあって、第１の位置よりも望遠側の第２の位置）で近距離まで合焦できる範囲となっている。通常マクロモードとテレマクロモードの切り替え方法については後述する。
【００２６】
なお、遠景モードでの合焦可能範囲は、図３の曲線Ｃ１と曲線Ｃ２で囲まれる範囲となっており、ズーム全域で１．５ｍから無限遠までの範囲となっている。
【００２７】
また、操作部１１１は、図２に示すズームワイドボタン２００とズームテレボタン２０１を有している。操作部１１１のズームボタンがオンされると、システム制御部１０１は、オンされたズームボタンに応じた方向に、ズーム制御部１０３によりズームレンズ１０２を駆動し、ズームボタンがオフされると、ズームレンズ１０２の駆動を停止する。
【００２８】
ズームレンズ１０２の駆動とともに、システム制御部１０１は、撮像素子１０８から送られ信号処理部１０９にて処理された画像情報に基づいて、フォーカス制御部１０７によりフォーカスレンズ１０６を駆動してピント調整を行う。
【００２９】
なお、ピント調整は、ズームレンズの駆動の有無によらず、撮影時以外は基本的に常時実行されている。
【００３０】
次に、図７、図８を用いて、本発明の実施例による撮像装置のマクロモード切り替え処理について説明する。
【００３１】
操作部１１１のＡＦモード切り替えボタン２０２が操作される毎に、システム制御部１０１は、ＡＦモードを通常ＡＦモード、マクロモード、遠景モードと順に切り替える。このとき、システム制御部１０１は、図１１（ａ）に示すように、設定されたＡＦモードを表示部１１０に表示する。
【００３２】
図７は、本発明の撮像装置のＡＦモード切り替え処理の動作を示すフローチャート図である。図７において、システム制御部１０１は、Ｓ７００にて、切り替えられたＡＦモードがマクロモードであるかどうかを判定する。ＡＦモードがマクロモードである場合、システム制御部１０１は、Ｓ７０１にて、表示部１１０に図１１（ｂ）に示すように、ユーザが背景のボケ量を設定するための画面を表示する。そして、Ｓ７０２にて、ユーザが操作部１１１を用いて背景のボケ量を設定するのを待つ。ユーザが背景のボケ量を設定すると、システム制御部（撮影条件取得手段）１０１は、Ｓ７０３にて、ユーザが設定した背景のボケ量（撮影条件）の情報を取得するとともに記憶部１１２に記憶する。次にシステム制御部１０１は、Ｓ７０４にて、マクロモード切り替え処理を実行して、ＡＦモード切り替え処理を終了する。マクロモード切り替え処理の詳細については後述する。
【００３３】
一方、切り替えられたＡＦモードがマクロモードでは無い場合、システム制御部１０１は、Ｓ７０５にて、切り替えられたＡＦモードが遠景モードであるかどうかを判定する。ＡＦモードが遠景モードである場合、システム制御部１０１は、Ｓ７０６にて、遠景モード切り替え処理を実行して、ＡＦモード切り替え処理を終了する。また、切り替えられたＡＦモードが遠景モードでは無い場合、システム制御部１０１は、Ｓ７０７にて、通常ＡＦモード切り替え処理を実行して、ＡＦモード切り替え処理を終了する。
【００３４】
ここで、図８を用いて、マクロモード切り替え処理の詳細について説明する。
【００３５】
図８は、本発明の撮像装置のマクロモード切り替え処理の動作を示すフローチャート図である。図８において、システム制御部１０１は、Ｓ８００にて、記憶部１１２に記憶されているユーザが設定した背景のボケ量を読み出し、Ｓ８０１にて、読み出した背景のボケ量が所定のボケ量より大きいかどうかを判定する。背景のボケ量が所定のボケ量より大きい場合、システム制御部１０１は、Ｓ８０２にて、マクロモードを、焦点距離が長く背景を大きくぼかして撮影する事ができるテレマクロモードに設定する。そして、Ｓ８０３にて、ズーム制御部１０３によりズームレンズ１０２を望遠端へ移動して、マクロモード切り替え処理を終了する。一方、背景のボケ量が所定のボケ量より小さい場合、システム制御部１０１は、Ｓ８０４にて、マクロモードを通常マクロモードに設定する。そして、Ｓ８０５にて、ズーム制御部１０３によりズームレンズ１０２を広角端へ移動して、マクロモード切り替え処理を終了する。
【００３６】
以上に説明したように、本実施例によれば、ＡＦモードをマクロモードへ切り替えると、ユーザが設定した背景のボケ量に応じて、テレマクロモードもしくは通常マクロモードへ自動的に設定される。そして、ズーム位置が各マクロモードに適した位置へ自動的に移動する。そのため、マクロ撮影時の利便性を向上させることが可能となる。
【００３７】
ここで、以上の説明では、背景のボケ量を、ＡＦモードをマクロモードに切り替えた際に、設定画面を表示して設定するように説明した。しかし、ＡＦモード切り替えの際だけではなく、撮像装置がマクロモードで動作している間、操作部１１１の不図示のボタン等を操作することにより、背景のボケ量を設定できるようにしても良い。
【００３８】
また、システム制御部１０１は、ズーム位置を自動的に移動した後は、背景のボケ量が所定量に収まる範囲内に、ズーム位置の変更を制限するようにしても良い。
【００３９】
また、システム制御部１０１は、背景のボケ量の代わりに、設定された絞り値により、マクロモードを切り替えるようにしても良い。その場合、設定された絞り値が所定の値よりも小さい場合に、ユーザは絞りを開いて背景をぼかした撮影を行いたいものと判断して、テレマクロモードに設定すれば良い。逆に、設定された絞り値が所定の値より大きい場合は、通常マクロモードに設定すれば良い。
【００４０】
また、マクロモードが通常マクロモードからテレマクロモードに切り替わる場合は、最短撮影距離がマクロモードの切り替え前より大きくなってしまう。そのため、システム制御部１０１は、図１１（ｃ）に示すように、被写体から所定の距離を離れて撮影する旨のメッセージを表示部１１０に表示して、ユーザに撮影距離を確保するように通知しても良い。
【実施例２】
【００４１】
第１の実施例では、ユーザが設定した背景のボケ量に応じて、マクロモードを自動的に切り替える例を説明してきたが、マクロモード時に、被写体までの距離に応じて、マクロモードを自動的に切り替えるようにしても良い。
【００４２】
ここで、図９、図１０を用いて、本発明の実施例による撮像装置のマクロモード切り替え処理について説明する。
【００４３】
図９は、本発明の撮像装置のマクロモード処理の動作を示すフローチャート図である。図９において、システム制御部１０１は、Ｓ９００にて、常時行っているピント調整の結果から、被写体までの距離である被写体距離が変化したかどうかを判定する。本実施例において、システム制御部１０１は、上記被写体距離を取得する被写体距離取得手段としても機能する。被写体距離が変化した場合、システム制御部１０１は、Ｓ９０１にて、被写体距離を記憶部１１２に記憶する。次にシステム制御部１０１は、Ｓ９０２にて、マクロモード切り替え処理を実行する。
【００４４】
ここで、図１０を用いて、マクロモード切り替え処理の詳細について説明する。
【００４５】
図１０は、本発明の撮像装置のマクロモード切り替え処理の動作を示すフローチャート図である。図１０において、システム制御部１０１は、Ｓ１０００にて、記憶部１１２に記憶されている被写体距離を読み出し、Ｓ１００１にて、読み出した被写体距離が所定量より大きいかどうかを判定する。被写体距離が所定量より大きい場合、システム制御部１０１は、Ｓ１００２にてマクロモードを、焦点距離が長く、被写体が離れていても撮影倍率を確保して撮影する事ができるテレマクロモードへ設定する。そして、Ｓ１００３にて、ズーム制御部１０３によりズームレンズ１０２を望遠端へ移動して、マクロモード切り替え処理を終了する。一方、被写体距離が所定量より小さい場合、システム制御部１０１は、Ｓ１００４にて、マクロモードを、被写体により近づいて撮影することができる通常マクロモードに設定する。そして、Ｓ１００５にて、ズーム制御部１０３によりズームレンズ１０２を広角端へ移動して、マクロモード切り替え処理を終了する。
【００４６】
以上に説明したように、本実施例によれば、被写体までの距離に応じて、通常マクロモードもしくはテレマクロモードへ自動的に設定される。そして、ズーム位置が各マクロモードに適した位置へ自動的に移動する。そのため、マクロ撮影時の利便性を向上させることが可能となる。
【００４７】
ここで、被写体距離は、常時行っているピント調整の結果から取得するとして説明してきたが、実施例１での背景のボケ量と同様に、ユーザが設定し、これをシステム制御部１０１が取得するようにしても良い。
【００４８】
以上、実施例１および実施例２を用いて、本発明について説明してきたが、各マクロモードへの切り替えに応じて自動的に移動するズーム位置は、望遠端や広角端に限らない。例えば、各マクロモードで撮影倍率が最大となるズーム位置や、各マクロモードで最短撮影距離が最小となるズーム位置としても良い。
【００４９】
本発明の実施例１および実施例２によれば、マクロ撮影時の撮影条件に応じて、通常マクロモードかテレマクロモードへ自動的に設定されるとともに、ズーム位置が各マクロモードに適した位置へ自動的に移動することができる。そのため、ズームレンズを有する撮像装置における、マクロ撮影時の利便性を向上させることが可能となる。
【００５０】
また、上記実施例では、単一の撮影条件を用いて切り替えるマクロモードを選択するように説明してきたが、複数の撮影条件を用いて選択することも可能である。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するための手順が記述されたコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【産業上の利用可能性】
【００５２】
本発明は、コンパクトデジタルカメラ、一眼レフカメラ、ビデオカメラなどのカメラシステムに好適に利用できる。
【符号の説明】
【００５３】
１００  撮像装置
１０１  システム制御部
１０２  ズームレンズ
１０３  ズーム制御部
【図１】
2014164206.tif 000003
【図２】
2014164206.tif 000004
【図３】
2014164206.tif 000005
【図４】
2014164206.tif 000006
【図５】
2014164206.tif 000007
【図６】
2014164206.tif 000008
【図７】
2014164206.tif 000009
【図８】
2014164206.tif 000010
【図９】
2014164206.tif 000011
【図１０】
2014164206.tif 000012
【図１１】
2014164206.tif 000013